(57)【要約】      （修正有）【課題】特に変形しないように容器の形状を強固に保持することができる縁部が高強度な紙製容器を提供する。【解決手段】底部１１と、該底部の周囲から斜め上方に向かって緩やかに延出する壁部１２と、該壁部の上部周囲から斜め下方に一旦傾斜し、その後に斜め上方に緩やかに傾斜するように延出する強化部１３０からなる強化縁部１３とを含む、一体成形の紙体を折ることによりなる本体１０を有することを特徴とする。【選択図】図１
0003162079.tif 000002
【実用新案登録請求の範囲】
【請求項１】
底部と、該底部の周囲から斜め上方に向かって緩やかに延出する壁部と、該壁部の上部周囲から斜め下方に一旦傾斜し、その後に斜め上方に緩やかに傾斜するように延出する強化部からなる強化縁部とを含む、一体成形の紙体を折ることによりなる本体を有することを特徴とする縁部が高強度な紙製容器。
【請求項２】
前記強化部の断面が凹弧状を呈することを特徴とする請求項１に記載の縁部が高強度な紙製容器。
【請求項３】
前記強化部の断面がＶ字形を呈することを特徴とする請求項１に記載の縁部が高強度な紙製容器。
【請求項４】
前記強化部の断面が円筒形を呈することを特徴とする請求項１に記載の縁部が高強度な紙製容器。
【請求項５】
前記強化部の断面が直線形を呈することを特徴とする請求項１に記載の縁部が高強度な紙製容器。
【請求項６】
前記底部は、角丸四角形を呈し、相対する一対の第一折線と、相対する一対の第二折線とを備え、
前記壁部は、それぞれ該第一折線から斜め上方に向かって延出する、相対する一対の第一側壁と、それぞれ該第二折線から斜め上方に向かって延出する、相対する一対の第二側壁と、前記底部の四隅にそれぞれ位置すると共に、隣接する第一側壁及び第二側壁と連結される角壁とを備えることを特徴とする請求項１乃至５の何れか１項に記載の縁部が高強度な紙製容器。
【請求項７】
前記底部における相対する一対の第一折線がそれぞれ円弧形を呈すると共に、該底部における相対する一対の第二折線がそれぞれ直線状を呈し、
前記壁部は、前記第一折線及び第二折線から斜め上方に向かって緩やかに延出することを特徴とする請求項１乃至５の何れか１項に記載の縁部が高強度な紙製容器。
【請求項８】
前記底部が円形を呈することを特徴とする請求項１乃至５の何れか１項に記載の縁部が高強度な紙製容器。
【考案の詳細な説明】
【技術分野】
【０００１】
本考案は、特に飲食物用であり、一体の紙体を折ってなる、縁部が高強度な紙製容器に関するものである。
【背景技術】
【０００２】
既存の紙製容器は、飲食物を載せることにより、飲食物の清潔さを保持できることから、販売や持ち帰りなどにとても便利であると共に、環境への悪影響も少ないので、大量に製造され、また、飲食物の種類によって、様々なタイプ（例えば、トレイや碗、弁当箱など）が開発されている。
【０００３】
図９に示すように、既存の飲食物容器は、防水層を設けた紙からなる一体成形の本体３０と、上部に配置される蓋部４０とを有し、その内、該本体３０は、裁断された一体成形の紙体を折ってなり、それぞれが連接している底部３１と、壁部３２と、縁部３３とを備え、該底部３１は、角丸四角形を呈し、該壁部３２は、該底部３１と一体に成形されると共に、該底部３１の周囲から斜め上方に向かって延設され、該縁部３３は、該壁部３２の周囲から斜め下側に向かって延設され、容器の形状を保持するものである。
また、図１０に示すように、前記蓋部４０は、前記本体３０の上部に設置されると共に、その周縁に、やや内側に向かって折れ曲がる、該縁部３３に脱着可能な掛合部４１が設けられるものである。
【考案の概要】
【考案が解決しようとする課題】
【０００４】
しかしながら、既存の紙製容器は、本体の縁部が単層の紙体を折ってなるものであることから、縁部の剛性が不足しているので、外力を受けると変形し易い。また、縁部は、比較的に軟らかく弾力を有することから、蓋部を取り付ける時には問題はないが、蓋部を引き上げて取り外す時には、掛合部が縁部に引っ掛かり容器の形状が大きく変形することがよくあった。
【課題を解決するための手段】
【０００５】
本考案に係る縁部が高強度な紙製容器は、一体成形の紙体を折ってなる本体１０を有し、該本体は、底部と、該底部の周囲から斜め上方に向かって緩やかに延出する壁部と、該壁部の上部周囲から斜め下方に向かって一旦傾斜し、その後に斜め上方に傾斜するように延出する強化部１を有する強化縁部とを備え、該強化部の構成によって、強化縁部の強度を上げて紙製容器の形状をより強固に保持することができる。
【０００６】
さらに、前記強化部には、様々なタイプを有し、例えば、該強化部の断面は、凹弧、Ｖ字型、円筒形や直線形などの形状を呈してもよい。
【０００７】
前記底部は、角丸四角形を呈し、相対する一対の第一折線と、相対する一対の第二折線とを備え、前記壁部は、それぞれ該第一折線から斜め上方に向かって延出する、相対する一対の第一側壁と、それぞれ該第二折線から斜め上方に向かって延出する、相対する一対の第二側壁と、前記底部の四隅にそれぞれ位置すると共に、隣接する第一側壁及び第二側壁と連結される角壁とを備えるものである。
【０００８】
また、上述したように、紙製容器の形状には様々なタイプを有し、その内、前記底部における相対する一対の第一折線Ａはそれぞれ円弧形を呈すると共に、該底部における相対する一対の第二折線はそれぞれ平行するように直線状を呈し、
尚、前記壁部は、前記第一折線及び第二折線から斜め上方に向かってスムーズに延出することがことが好ましく、前記底部は、円形を呈してもよい。
【考案の効果】
【０００９】
本考案に係る縁部が高強度な紙製容器は、上記の課題を解決するものであるので、縁部の強度を上げ、容器の形状を強固に保持することができる。
【図面の簡単な説明】
【００１０】
【図１】本考案に係る縁部が高強度な紙製容器の第一実施例の部分分解斜視図である。
【図２】本考案に係る縁部が高強度な紙製容器の第一実施例における凹弧状強化部の拡大部分断面図である。
【図３】本考案に係る縁部が高強度な紙製容器の第一実施例におけるＶ字型強化部の拡大部分断面図である。
【図４】本考案に係る縁部が高強度な紙製容器の第一実施例における円筒形強化部の拡大部分断面図である。
【図５】本考案に係る縁部が高強度な紙製容器の第一実施例における直線形強化部の拡大部分断面図である。
【図６】本考案に係る縁部が高強度な紙製容器の第一実施例における直線形強化部の拡大部分断面図である。
【図７】本考案に係る縁部が高強度な紙製容器の第二実施例の部分分解斜視図である。
【図８】本考案に係る縁部が高強度な紙製容器の第三実施例の部分分解斜視図である。
【図９】既存の紙製容器の部分分解斜視図である。
【図１０】既存の紙製容器における縁部に取り付けられた蓋部の拡大部分断面図。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１に示すように、本考案に係る縁部が高強度な紙製容器の第一実施例は、本体１０と、蓋部２０とを備え、その内、該本体１０は、防水層を付着させた一体成形の紙体を折ってなり、底部１１と、壁部１２と、強化縁部１３とを有し、該底部１１は、角丸四角形を呈し、相対する一対の第一折線１１０と、相対する一対の第二折線１１１とからなるものである。
【００１３】
前記壁部１２は、前記底部１１の周囲から斜め上方に向かって緩やかに延出すると共に、上部が滑らかな形状を呈する角丸四角形のフレームであり、それぞれ前記第一折線１１０から斜め上方上側に向かって延出する、相対する一対の第一側壁１２０と、それぞれ前記第二折線１１１から斜め上方に向かって延出する、相対する一対の第二側壁１２１と、前記底部１１の四隅にそれぞれ位置すると共に、隣接する第一側壁１２０及び第二側壁１２１と連結される角壁１２２とを備え、尚、該角壁１２２は、隣接する第一側壁１２０と第二側壁１２１との間に形成される扇形紙体であり、その扇形紙体を折り畳んで第一側壁１２０或いは第二側壁１２１に接着され、その第一側壁１２０と第二側壁１２１を連結することができる。
【００１４】
図２乃至図５に示すように、前記強化縁部１３は、前記壁部１２の上部周囲から斜め下方に向かって一旦傾斜し、その後に斜め上方にスムーズに傾斜するように延出されると共に、容器の形状を保持するための縁部の強度を上げるために、外周縁が上方に向かって折られた強化部１３０を備えるものである。尚、前記強化部１３０の断面は、凹弧状を呈してもよく（図２に示すように）、Ｖ字型を呈してもよく（図３に示すように）、円筒形を呈してもよく（図４に示すように）、直線形を呈してもよい（図５に示すように）。このように、前記強化部１３０は、外側斜め上方に向かって折られることによって、強化縁部１３の強度を増加させるので、該強化縁部１３をフレームとすることにより紙製容器の形状を強固に保持することができる。
【００１５】
図６に示すように、蓋部２０は、本体１０の形状と対応し、該本体１０の上部に脱着可能に配置され、蓋部２０の外周縁に形成されると共に、強化縁部１３に貼り付けられる環状の結合縁部２１を備え、該結合縁部２１は、外周縁に内側に向かって折られた、脱着可能に前記強化部１３０に掛合されるフック部２１０を備えるものである。
【００１６】
図７に示すように、本考案に係る縁部が高強度な紙製容器の第二実施例おいては、本体１０Ａの構成が第一実施例の本体１０と同一であるが、形状が異なっている。また、前記本体１０Ａの底部１１Ａは、相対する一対の円弧形を呈する第一折線１１０Ａを有すると共に、平行するように相対する一対の直線状の第二折線１１１Ａを有し、該第一折線１１０Ａ及び該第二折線１１１Ａから斜め上方に向かって壁部１２Ａが延設され、また、なり、該本体１０Ａの強化縁部１３Ａは、該壁部１２Ａの外端から一旦斜め下方に向かい、その後に斜め上方に向かうように延出する、上部が楕円形を呈する強化部１３０Ａが設けられる。
【００１７】
図８に示すように、本考案に係る縁部が高強度な紙製容器の第三実施例においては、本体１０Ｂの構成が第一実施例の本体１０と同一であるが、形状が異なっている。また、前記本体１０Ｂは、円形を呈する底部１１Ｂと、該底部１１Ｂから斜め上方に向かって延出する壁部１２Ｂと、強化縁部１３Ｂとを有し、該強化縁部１３Ｂには、上部がスムーズな円形を呈し、該壁部１２Ｂの外端から一旦斜め下方に向かい、その後に斜め上方に向かうように延出する、上部が円形の強化部１３０Ｂが設けられる。
【００１８】
このように、本考案に係る縁部が高強度なの紙製容器は、前記強化縁部１３、１３Ａ、１３Ｂの外周縁に強化部１３０、１３０Ａ、１３０Ｂの構成を有することから、紙製容器の強度が高まるので、外力を受けても変形しないように容器の形状を強固に保持することができ、さらに、前記蓋部２０は、強化縁部１３、１３Ａ、１３Ｂが硬くて弾力が少ないことから、取り外す時には、容器の形状が保持するように、簡単に取り外すことができる。
【００１９】
更に、本考案に係る縁部が高強度な紙製容器は、強化部１３０、１３０Ａ、１３０Ｂの構成を有することから、飲食物を載せてラップフィルムに包まれる時には、ラップフィルムを裁断する力に受けても変形しなく、紙製容器の形状を保持することができる。
【産業上の利用可能性】
【００２０】
本考案は上記の構成を有するので、縁部の強度を上げることにより、変形しないように容器の形状を保持することができる。
【符号の説明】
【００２１】
１０、１０Ａ、１０Ｂ        本体
１１、１１Ａ、１１Ｂ        底部
１１０、１１０Ａ            第一折線
１１１、１１１Ａ            第二折線
１２、１２Ａ、１２Ｂ        壁部
１２０                      第一側壁
１２１                      第二側壁
１２２                      角壁
１３、１３Ａ、１３Ｂ        強化縁部
１３０、１３０Ａ、１３０Ｂ  強化部
２０                        蓋部
２１                        結合縁部
２１０                      掛合部
３０                        本体
３１                        底部
３２                        壁部
３３                        縁部
４０                        蓋部
４１                        掛合部
【図１】
0003162079.tif 000003
【図２】
0003162079.tif 000004
【図３】
0003162079.tif 000005
【図４】
0003162079.tif 000006
【図５】
0003162079.tif 000007
【図６】
0003162079.tif 000008
【図７】
0003162079.tif 000009
【図８】
0003162079.tif 000010
【図９】
0003162079.tif 000011
【図１０】
0003162079.tif 000012